(57)【要約】【課題】利用者の趣を損なうことなく高級感に富み、盤体が使用中に昇温しない什器が望まれている。【解決手段】什器１は、上面に開口部３を有して有底箱状に形成された箱状本体２と、箱状本体２の開口部３全面を被って開口縁３Ａに支持される人工大理石製のテーブル盤４を備えている。そして、複数のＬＥＤランプ６，６，６，・・・が接着剤７，７，７，・・・の接着力でテーブル盤４の下面４Ｂに取り付けられている。これらのＬＥＤランプ６，６，６，・・・には、コード９を介して接続された電池１０から電源が供給されるようになっている。ＬＥＤランプ６の下方およびテーブル盤４の下面４Ｂのほぼ全面が光反射シート８で被われている。【選択図】図２
2007089952.tif 000002
【特許請求の範囲】
【請求項１】
箱状本体の開口部を、透光性を有する人工大理石製の盤体で被い、盤体の内側の面にＬＥＤランプを取り付け、ＬＥＤランプの後方および盤体の内側の面を光反射シートで被って成ることを特徴とする什器。
【請求項２】
ＬＥＤランプが接着剤により盤体の内側の面に取り付けられる請求項１に記載の什器。
【請求項３】
透光性を有する接着剤が用いられる請求項２に記載の什器。
【発明の詳細な説明】
【技術分野】
【０００１】
本発明は、例えばパーティ会場、応接室、会議室などに設置される応接セット、テーブル、机などの什器に関するものである。
【背景技術】
【０００２】
従来、この種の什器としては図６に示すものが知られている。図示の什器５１は、有底箱状に形成された箱状本体５２と、箱状本体５２上面の開口部５３を被って設置された擦りガラス製のテーブル盤５４を備えており、テーブル盤５４下方の箱状本体５２内に多数の小電球（図示省略）が配設されている。この什器５１はパーティ会場などでテーブルとして使用され、電源がオンされると、全ての小電球が点灯し、小電球からの光がテーブル盤５４を透過して盤上方に放射されるようになっている。かかる什器５１と関連しＬＥＤランプを用いる技術は、例えば下記の特許文献１に記載されている。
【０００３】
【特許文献１】特開２００４−２９５０５７号公報（段落０００９、図２）
【発明の開示】
【発明が解決しようとする課題】
【０００４】
上記した従来の什器５１ではテーブル盤５４の光透過率および光直進性が高いことから、小電球が点灯すると、テーブル盤５４の１点鎖線の円で示す部位Ｃ，Ｃ，Ｃ，・・・がスポット的に周囲よりも強く光り、部位Ｃ，Ｃ，Ｃ，・・・の下方に各小電球の所在が利用者に想起されてしまう。そのために、利用者の趣を損ない高級感に乏しいものであった。また、消費電力量の大きな小電球からの放熱により使用中にテーブル盤５４が昇温するため、冷温保持が必要な刺身やシャンパンなどの飲食物をテーブル盤５４上に置くことは望ましくない。一方で、擦りガラス製や汎用白色アクリル板製のテーブル盤５４の場合、経時使用による盤上の使用傷が目立って見苦しくなる。そこで、傷の目立ちにくい人工大理石をテーブル盤５４に使用することが考えられる。しかしながら、人工大理石は合成樹脂基体中に酸化アルミニウムなどの無機粉粒体が無数に分散配合されているため、汎用品（厚さ２０ｍｍ以上）の場合は光が透過しないので、これまでは光透過盤体として使用されなかった。
【０００５】
本発明は、上記した従来の問題点に鑑みてなされたものであって、利用者の趣を損なうことなく高級感に富み、盤体が使用中に昇温しない什器の提供を目的とする。
【課題を解決するための手段】
【０００６】
上記目的を達成するために、本発明に係る什器は、箱状本体の開口部を、透光性を有する人工大理石製の盤体で被い、盤体の内側の面にＬＥＤランプを取り付け、ＬＥＤランプの後方および盤体の内側の面を光反射シートで被って成るものである。
【０００７】
また、前記構成において、ＬＥＤランプが接着剤により盤体の内側の面に取り付けられるものである。
【０００８】
そして、前記構成において、透光性を有する接着剤が用いられるものである。
【発明の効果】
【０００９】
本発明に係る什器において、ＬＥＤランプから出射した光は、その一部が盤体を透過して盤外に放射される。別の一部は人工大理石中に含まれる粉粒体に当たって反射する。反射した光の一部は盤体から後方に出射し光反射シートで反射して盤体に戻り、盤外に放射される。このように、本発明の什器はほとんどの出射光を使用することができ盤体の全面で一様に光るようになる。すなわち、ＬＥＤランプの所在が判らなくなることから、幻想的な趣が醸し出されて高級感を呈するのである。一方で、汎用されるＬＥＤランプからは発熱が少なく人工大理石の熱伝導率も極めて小さいことから、冷用飲食品を入れた容器を盤体に接して置いても、冷用飲食品の温度は上がらない。従って、料理の傷みが少なく飲料の温度も上がらず、飲食品を長時間にわたり美味しく提供することができる。
【発明を実施するための最良の形態】
【００１０】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る什器を示す外観図、図２は前記什器の側断面図、図３は前記什器のテーブル盤を光反射シートを取り外して見た底面図、図４は前記什器の一部分を拡大して見た側断面図である。
各図において、この実施形態に係る什器１は、例えばパーティ会場などで使用されるテーブルとして例示される。この什器１は、上面に開口部３を有して有底箱状に形成された箱状本体２と、箱状本体２の開口部３全面を被って開口縁３Ａに支持される人工大理石製のテーブル盤（盤体の例）４を備えている。そして、例えば３６個（６×６個の行列配置）のＬＥＤランプ６，６，６，・・・が接着剤７，７，７，・・・の接着力でテーブル盤４の下面（内側の面）４Ｂに取り付けられている。更に、ＬＥＤランプ６の下方（光出射方向の後方）およびテーブル盤４の下面４Ｂのほぼ全面が、光反射シート８で被われている。
【００１１】
テーブル盤４を構成する人工大理石は、基体である合成樹脂体１５中に無数の無機粉粒体１６，１６，１６，・・・が分散配置されており、透光率はさほど高くないが全体として透光性を有している。この人工大理石は汎用の製法により得られる。すなわち、アクリル酸エステルモノマーおよび／またはメタクリル酸エステルモノマーを主成分とするアクリルシラップに、過酸化ベンゾイルなどの重合開始剤、および酸化アルミニウム、ケイ酸カルシウムなど無機粉粒体１６を加えて混練し型内に注入して加熱硬化させることにより得られる。本実施形態では人工大理石として厚さＴが１０ｍｍで市販の板状体（Ｎ＆Ｌマーブル社製のマーベＣ−０１クリスタホワイト）を用いている。但し、本発明の人工大理石としては、透光性を有するものであれば、形状、厚さ、メーカー、製品種類の別に拘らない。
【００１２】
ＬＥＤランプ６としては、円盤状に形成された扁平なタイプのものが使用され、具体的には白色光ＬＥＤランプ（日亜化学社製、型式ＮＳＰＢ５００ＢＳ−ＷＴ）を使用してある。この場合、２つのＬＥＤランプ６，６が半田付け（半田付け部１４）により直列に接続され、更にＬＥＤランプ６の＋側のリード線１３に抵抗器１２が直列に半田付けされている。抵抗器１２は具体的には汎用の金属皮膜固定式抵抗器（佐久電器社製）を用いてある。かかる２つのＬＥＤランプ６，６と１つの抵抗器１２とからなる組合せを１つのユニットＡとし、１８個のユニットＡ，Ａ，Ａ，・・・が並列に接続されている。かかる並列にまとめられたリード線１３のうち、−側のリード線１３はコード９を介して電源スイッチ１１の一方の端子に接続され、＋側のリード線１３はコード９を介して電池１０（９Ｖ）の＋側端子に接続されている。電池１０の−側端子は電源スイッチ１１の他方の端子と接続されている。
【００１３】
接着剤７としてはポリプロピレン製のホットメルト接着剤（住友３Ｍ社製、品番３７９７、軟化点１５０℃）を用いた。このホットメルト接着剤は乳白色を呈し透光性を有している。ホットメルト接着剤は手が汚れにくく塗着後は迅速に冷えて固化することから作業性がよく好都合である。但し、本発明は前記のホットメルト接着剤に限らず、少なくとも固化後に透光性を有する接着剤を用いてよい。
【００１４】
光反射シート８は少なくとも片面（この例では上面）が光反射面に構成されており、テーブル盤４や接着剤７からＬＥＤランプ６の後方（下方）に向かう光を反射して光の利用効率を高める役割をするものである。かかる光反射シート８としては、例えば発泡白色シート、金属蒸着シート、白色顔料練込みシート、白色塗装シートなどが挙げられる。この実施形態では、ポリエチレンテレフタレートフィルム中に白色顔料を練り込んで成るシート（きもと社製のレフホワイトＲＷ１８８、厚さ１８８μｍ、分光反射率９５〜９７％）を用いたが、一定以上の光反射率を有するものであれば、厚さ、メーカー、製品種類の別に拘らない。
【００１５】
テーブル盤４の下部には周縁を切り欠いた小径部４Ａが形成されている。小径部４Ａは箱状本体２の開口縁３Ａに密接して嵌合する形状、寸法に形成されており、これによって箱状本体２から光が漏れないようになっている。また、箱状本体２の内側面および底面は白色の反射用塗膜５で被覆されている。この反射用塗膜５によって、光反射シート８で被われていない小径部４Ａの周縁部から箱状本体２内へ光が漏れた場合でも、その光は反射用塗膜５で反射した後に小径部４Ａの周縁部からテーブル盤４内に戻って盤外に放射されるのである。従って、ＬＥＤランプ６，６，６，・・・から放出された光を余すことなく有効に利用することができる。
【００１６】
上記した構成の什器１は、図５に示すように、例えばテーブルとしてパーティ会場などで使用される。そこで、什器１の電源スイッチ１１をオンにすると、電池１０からの電力がＬＥＤランプ６，６，６，・・・に供給されて、図４に示すようにそれぞれ光を放射する。各ＬＥＤランプ６から出射した光Ｈは、その一部がテーブル盤４の合成樹脂体１５を透過してテーブル盤４から上向きに放射される。別の一部はテーブル盤４の無機粉粒体１６に当たって反射する。反射した光の一部はテーブル盤４から下向きに出射して光反射シート８で反射したり、接着剤７を透過した後に光反射シート８で反射して、テーブル盤４に戻り盤全体から一様に放射される。このように、什器１はテーブル盤４の全面で一様に光るために３６個のＬＥＤランプ６，６，６，・・・の所在が判らないことから、幻想的な趣が醸し出されて見栄えよく高級感を有するものとなる。
【００１７】
一方で、ＬＥＤランプ６，６，６，・・・からの発熱はほとんどなく、人工大理石の熱伝導率も極めて小さいことから、テーブル盤４の上面にオードブル１７、シャンパン１８、刺身、ビールなどを入れた容器を置いても、これらの飲食品の温度は上がらない。従って、料理の傷みが少なく飲料の温度も上がらないことから、冷用飲食物を長時間にわたって美味しく提供される。また、什器１は電池１０を電源として使用しているので、商用電源とつなぐための接続コードが不要であり、パーティ用に好適である。無論、直交変換アダプタおよび接続コードを用いて商用電源を使用するようにしても構わない。
【００１８】
そして、接着剤７でＬＥＤランプ６，６，６，・・・をテーブル盤４に取り付けたことは、当業者が成し得る単なる設計事項の範囲に留まらず格別の意義を有している。すなわち、テーブル盤４の下面４Ｂに上向きのランプ装着用穴を穿設する必要がなくなる。これにより、ランプ装着用穴を穿設する手間が省けることから、ＬＥＤランプ取り付けにかかる時間とコストが少なくて済む。また、ランプ装着用穴を設けるための厚みがテーブル盤４に不要となることから、薄手の人工大理石を使用できる。これによって、更なるコスト削減および軽量化を図ることができる。かかる薄化によりテーブル盤４の光透過率が高くなることから、テーブル盤４から放射される光の強さが増して、人工大理石を用いているにも拘わらず、テーブル盤４にＬＥＤランプ６からの光を透過させることができたのである。因みに、人工大理石は多量の無機粉粒体１６を含んでいるために、厚さが一定以上（例えば２０ｍｍ以上）の人工大理石をテーブル盤に使用した場合、ＬＥＤランプ６からの光はほとんど透過しなかった。
【００１９】
ところで、遮光性を有する接着剤やＬＥＤホルダーを用いてＬＥＤランプ６をテーブル盤４の下面４Ｂに取り付けた場合、ＬＥＤランプ６から出射して接着剤やＬＥＤホルダーに当たった光はそれらに吸収されてテーブル盤４からの盤外放射に利用されない。しかしながら、本実施形態では、透光性を有する接着剤７を用いてあるので、ＬＥＤランプ６から出射してテーブル盤４内の無機粉粒体１６で反射した光の一部は、接着剤７を透過し光反射シート８の上面で反射した後にテーブル盤４に戻って盤外に放射されるから、光の利用効率を更に高めることができる。このような、透光性を有する接着剤７と、光反射シート８とを用いたことにより、ＬＥＤランプ６，６，６，・・・を接着剤７で取り付けてテーブル盤４を薄化したことによる人工大理石利用の効果を、更に高めることができる。
【００２０】
尚、上記の実施形態では、箱状本体の上面に開口部が設けられている什器の例を示したが、本発明はそれに限定されるものでなく、例えば開口部を箱状本体の正面、背面、または左右側面に設けた構成にも適用可能である。また、本発明の什器は上記した平面視正方形の形状・寸法に限らず、本発明の技術的範囲を逸脱しない範囲で所望の意匠・大きさを採用して構わない。
【００２１】
そして、上記では、円盤状に形成された扁平なＬＥＤランプを例示したが、本発明では例えば汎用の円柱状のＬＥＤランプを使用することも可能である。その場合は、円柱状ＬＥＤランプを盤体の内側の面に平行に寝かせて取り付けると、盤体の厚さを大きくとらずに済む。
【００２２】
また、ＬＥＤランプの点灯は、有線または無線式のリモートコントローラにより操作できるようにしてよい。あるいは、什器の側面などに人感知センサを設置しておき、人が什器に近づいたときに、全体を均一に光らせたり、近づいた側に近いＬＥＤランプを選択的に光らせるように構成しても構わない。
【図面の簡単な説明】
【００２３】
【図１】本発明の一実施形態に係る什器を示す外観図である。
【図２】前記什器の側断面図である。
【図３】前記什器のテーブル盤を光反射シートを取り外して見た底面図である。
【図４】前記什器の一部分を拡大して見た側断面図である。
【図５】前記什器の使用態様図である。
【図６】従来の什器を示す外観図である。
【符号の説明】
【００２４】
１    什器
２    箱状本体
３    開口部
４    テーブル盤（盤体）
４Ｂ  下面（内側の面）
６    ＬＥＤランプ
７    接着剤
８    光反射シート
【図１】
2007089952.tif 000003
【図２】
2007089952.tif 000004
【図３】
2007089952.tif 000005
【図４】
2007089952.tif 000006
【図５】
2007089952.tif 000007
【図６】
2007089952.tif 000008